(57)【特許請求の範囲】
【請求項１】
定期券を利用して購入される乗車券の券面にその定期券の所持者を特定する内容を印字する印字部を設けたことを特徴とする乗車券。
【請求項２】
自動券売機本体に挿入された定期券からその定期券の所持者を特定するデータを読取る読取手段と、
前記自動券売機本体の設置されている駅から挿入された定期券の有効区間までの乗車料金を算出する算出手段と、
算出された乗車料金を満たす金額の金銭が前記自動券売機本体に投入されたときに、読取られた定期券の所持者を特定するデータに基づいて発券される乗車券の券面にその定期券の所持者を特定する内容を印字して発券する発券手段と、
を有することを特徴とする自動券売機。
【発明の詳細な説明】
【０００１】
【発明の属する技術分野】
本発明は、定期券を利用して購入される乗車券、及びその乗車券を発券するための自動券売機に関する。
【０００２】
【従来の技術】
従来、定期券を所持している利用者がその定期券の有効区間外から乗車してその定期券の有効区間内で下車する場合は、乗車駅に設置されている自動券売機本体（以下、「本体」という）に、乗車駅から有効区間までの乗車料金を満たす金額の金銭（この金銭をプリペイドカード等のカードで支払う場合も含む）を投入するとともに、その購入金額に対応した口座釦を押下して乗車券を購入し、その購入した乗車券を用いて乗車するようにしている。
【０００３】
【発明が解決しようとする課題】
しかしながら、上記従来の自動券売機は、定期券を所持している利用者であっても、路線図に表示されている料金表等を用いて有効区間までの乗車料金を求めて口座釦を押下しなければならないという面倒があった。
【０００４】
そこで、本発明は、上記欠点を解決するためになされたものであって、その目的は、利用者の乗車券購入時の利便を向上させることができる自動券売機を提供するとともに、不正使用されない乗車券を提供することにある。
【０００５】
【課題を解決するための手段】
本発明に係る乗車券は、上記目的を達成するために、定期券を利用して購入される乗車券の券面にその定期券の所持者を特定する内容を印字する印字部を設けたことを特徴としている。
本発明に係る自動券売機は、上記目的を達成するために、本体に挿入された定期券からその定期券の所持者を特定するデータを読取る読取手段と、前記本体の設置されている駅から挿入された定期券の有効区間までの乗車料金を算出する算出手段と、算出された乗車料金を満たす金額の金銭が前記本体に投入されたときに、読取られた定期券の所持者を特定するデータに基づいて発券される乗車券の券面にその定期券の所持者を特定する内容を印字して発券する発券手段と、を有することを特徴としている。
【０００６】
【発明の実施の形態】
以下、本発明の実施の形態を図面に基づいて説明する。図１は、本体ａの正面図であって、その本体ａの正面パネル１には、上部から下方に向けて順に、案内部２、接客パネル３、取出部４が設けられている。案内部２には、本体ａの稼動状態が表示され、接客パネル３には、投入金額や操作方法等を利用者へ報知するための表示画面５と、硬貨投入口６と、カード挿入口７と、紙幣の紙幣挿入口８と、小人又は枚数等の選択釦群９と、口座釦群１０と、券購入を途中で中止するときに押下される取消釦１１と、係員を呼出すときに押下される呼出釦１２と、係員を呼出したときに係員と応答するためのマイクロフォン１３及びスピーカ１４とが設けられている。
【０００７】
接客パネル３の以上の各構成要素は、周知の自動券売機が有しているものと同一であるが、ここでは、紙幣挿入口８の下方に、定期券イの定期券挿入口１５が設けられている。
【０００８】
取出部４には、釣銭を紙幣で返却するときの紙幣返却口１６と、乗車券の発券口１７と、返却硬貨または釣銭硬貨を排出する排出口１８とが設けられている。
【０００９】
なお、図示しないが、定期券挿入口１５に対応する本体ａの内側には、挿入された定期券イを取込んで定期券イに記録されているデータを読取り、その読取後、再びその定期券イを排出する、本発明の読取手段を担う定期券処理ユニット（図２の２５参照）が設けられている。
【００１０】
図２のＣは、本体ａを総括的に制御するマイクロコンピュータからなる制御器であって、本発明の算出手段を担っている。図２は、その制御器Ｃの電気的構成を示すものであって、ＲＯＭ２０に格納されているシステムデータとＲＡＭ２１に格納されているワーキングデータとを用いて演算処理する中央処理部（ＣＰＵ）２２を中心に構成されている。このＣＰＵ２２には、Ｉ／Ｏユニット２３を介して表示画面５の表示内容を制御する表示ドライバ２４と、図１では省略されている定期券挿入口１３から挿入された定期券イを処理する定期券処理ユニット２５、釣銭ユニット２６、及び本発明の発券手段を担っている発券ユニット２７が接続されている。なお、Ｉ／Ｏユニット２３には、各種のドライバやセンサ等が接続されているが本発明の説明に直接関係しないので省略されている。
【００１１】
上記発券ユニット２７には、従来の自動券売機と同様に、カッターでロール紙を所定の長さ、すなわち、エドモンソン券の大きさに切断して繰出す用紙繰出部と、その用紙に所定の磁気データを書込む書込ヘッドと、所定の内容を印字して表示するサーマルヘッド等からなる印字器が設けられている。
【００１２】
この印字器によって、図３に示されるように、発券される乗車券ロの券面ロ′に発券年月日や乗車区間等の所定の内容が印字される以外に、定期券挿入口１３から挿入された定期券イの所持者の氏名が印字部ロ″に印字できるように構成されている。
【００１３】
上記構成の自動券売機で定期券イを所持している利用者がその定期券イの有効区間までの乗車券ロを購入するには、まず、定期券イが定期券挿入口１５に挿入される。
【００１４】
挿入された定期券イからは、その定期券イに記録されている定期券イの所持者を特定するデータ、例えば利用者の氏名が定期券処理ユニット２５を介して読取られる。そして、ＣＰＵ２２は、その読取られたデータを基に本体ａの設置されている駅からその定期券イの有効区間までの乗車料金が算出され、その乗車料金が表示画面５に表示される。
【００１５】
表示画面５に表示された乗車料金を満たす金額の金銭が本体ａに投入されると、発券ユニット２７を介して、発券口１７から乗車券ロが発券される。この発券される乗車券ロには、図３に示されるように、券面ロ′の印字部ロ″に定期券イの所持者の氏名が印字されて発券される。
【００１６】
上述のように、利用者は、定期券イの有効区間までの乗車料金を調べることなく、また、口座釦を押下することなく乗車券ロを購入することができる。しかも、発券される乗車券ロには、定期券イの所持者の氏名が印字されるので、その乗車券ロが他人によって使用されるのを効果的に防止することができる。
【００１７】
なお、上述の例では、発券される乗車券ロに印字される内容を定期券イの所持者の氏名としたが、定期券の番号等の定期券の所持者を特定できる内容であればよい。
【００１８】
【発明の効果】
本発明に係る乗車券は、定期券を利用して購入される乗車券の券面にその定期券の所持者を特定する内容を印字する印字部を設けたので、乗車券が定期券所持者以外の第三者に使用されるのを効果的に防止することができる。
本発明に係る自動券売機は、本体に挿入された定期券からその定期券の所持者を特定するデータを読取る読取手段と、前記本体の設置されている駅から挿入された定期券の有効区間までの乗車料金を算出する算出手段と、算出された乗車料金を満たす金額の金銭が前記本体に投入されたときに、読取られた定期券の所持者を特定するデータに基づいて発券される乗車券の券面にその定期券の所持者を特定する内容を印字して発券する発券手段とからなるので、利用者の乗車券購入時における利便を向上させることができる。
【図面の簡単な説明】
【図１】本発明の一実施の形態に係る本体の正面図である。
【図２】制御器のブロック図である。
【図３】乗車券の印字例を示す説明図である。
【符号の説明】
ａ  自動券売機本体（本体）
１  正面パネル
２  案内部
３  接客パネル
４  取出部
５  表示画面
６  硬貨投入口
７  カード挿入口
８  紙幣挿入口
９  選択釦群
１０  口座釦群
１１  取消釦
１２  呼出釦
１３  マイクロフォン
１４  スピーカ
１５  定期券挿入口
１６  紙幣返却口
１７  発券口
１８  排出口
Ｃ  制御器
イ  定期券
ロ  乗車券
ロ′  券面
ロ″  印字部
【図１】
0003559126.tif 000002
【図２】
0003559126.tif 000003
【図３】
0003559126.tif 000004